(57)【要約】【課題】電子先幕撮影の際に得られる画像においてゴーストの発生を抑制する。【解決手段】メカ先幕４は光学素子の前側に配置され、撮像素子を光学像が結像する開放状態から光学像を遮光する遮光状態へと遷移させるために走行可能であり、メカ後幕３は光学素子の前側に配置され、撮像素子を遮光状態から開放状態へと遷移させるために走行可能である。撮影の際、メカ先幕の走行方向と同一の方向に向かって撮像素子に蓄積された電荷をリセットするリセット走査を行う際、当該リセット走査を、メカ先幕の走行が終了する前に開始する。【選択図】図２
2018186369.tif 000002
【特許請求の範囲】
【請求項１】
光学像に応じた電荷を蓄積して画像信号を生成する撮像素子と、前記撮像素子の前側に配置された光学素子とを有する撮像装置であって、
前記光学素子の前側に配置され、前記撮像素子を前記光学像が結像する開放状態から前記光学像を遮光する遮光状態へと遷移させるために走行可能な第１のシャッター部と、
前記光学素子の前側に配置され、前記撮像素子を前記遮光状態から前記開放状態へと遷移させるために走行可能な第２のシャッター部と、
前記第１のシャッター部の走行方向と同一の方向に向かって前記撮像素子に蓄積された電荷をリセットするリセット走査を行う電子シャッター手段と、
前記電子シャッター手段および前記第２のシャッター部を制御して、前記電子シャッター手段によるリセット走査を、前記第２のシャッター部の走行が終了する前に開始する第１の撮影モードを行う制御手段と、
を有することを特徴とする撮像装置。
【請求項２】
前記制御手段は、前記第１の撮影モードにおいて撮影指示に応じて前記第２のシャッター部の走行を開始することを特徴とする請求項１に記載の撮像装置。
【請求項３】
前記制御手段は、前記第１の撮影モードにおいて前記電子シャッター手段によるリセット走査を開始した後、前記第１のシャッター部の走行を開始することを特徴とする請求項１又は２に記載の撮像装置。
【請求項４】
前記第１のシャッター部の端部の光軸からの距離をｙ（ｔ）、前記リセット走査によってリセットされる前記撮像素子のラインの光軸からの距離をｈ（ｔ）、前記撮像素子に前記光学像を結像させる撮影レンズの射出瞳径をＤ、前記撮影レンズと前記撮像素子との距離をＲ、前記第１のシャッター部と前記撮像素子１０４との距離をｘとした際、前記第１のシャッター部の端部と前記ラインとの関係は、下記の式で表されることを特徴とする請求項１乃至３のいずれか１項に記載の撮像装置。
ｙ（ｔ）＞ｈ（ｔ）（１−（ｘ／Ｒ））−（ｘＤ／２Ｒ）
【請求項５】
前記制御手段は、被写体を撮影する際の撮影条件に応じて前記第１の撮影モードを行うか否かを決定することを特徴とする請求項１乃至４のいずれか１項に記載の撮像装置。
【請求項６】
前記撮影条件としてシャッター秒時、露出値、および前記撮像素子において最も輝度が高い光が入射する位置が用いられ、前記シャッター秒時が予め設定された第１の閾値よりも小さい第１の条件、前記露出値が予め定められた第２の閾値よりも大きい第２の条件、かつ前記位置が予め設定された第３の閾値よりも大きい第３の条件が満たされると、前記制御手段は前記第１の撮影モードを行うと決定することを特徴とする請求項５に記載の撮像装置。
【請求項７】
前記制御手段は、前記第１の条件、前記第２の条件、および前記第３の条件の少なくとも１つが満たされないと、前記第１の撮影モードと異なる第２の撮影モードを行うことを特徴とする請求項６に記載の撮像装置。
【請求項８】
光学像に応じた電荷を蓄積して画像信号を生成する撮像素子と、前記撮像素子の前側に配置された光学素子と、前記光学素子の前側に配置され、前記撮像素子を前記光学像が結像する開放状態から前記光学像を遮光する遮光状態へと遷移させるために走行可能な第１のシャッター部と、前記光学素子の前側に配置され、前記撮像素子を前記遮光状態から前記開放状態へと遷移させるために走行可能な第２のシャッター部と、前記第１のシャッター部の走行方向と同一の方向に向かって前記撮像素子に蓄積された電荷をリセットするリセット走査を行う電子シャッター手段とを有する撮像装置の制御方法であって、
前記第２のシャッター部の走行を開始して、前記第２のシャッター部の走行が終了する前に前記電子シャッター手段によるリセット走査を開始するステップを有することを特徴とする制御方法。
【請求項９】
光学像に応じた電荷を蓄積して画像信号を生成する撮像素子と、前記撮像素子の前側に配置された光学素子と、前記光学素子の前側に配置され、前記撮像素子を前記光学像が結像する開放状態から前記光学像を遮光する遮光状態へと遷移させるために走行可能な第１のシャッター部と、前記光学素子の前側に配置され、前記撮像素子を前記遮光状態から前記開放状態へと遷移させるために走行可能な第２のシャッター部と、前記第１のシャッター部の走行方向と同一の方向に向かって前記撮像素子に蓄積された電荷をリセットするリセット走査を行う電子シャッター手段とを有する撮像装置の制御方法で用いられる制御プログラムであって、
前記撮像装置が備えるコンピュータに、前記第２のシャッター部の走行を開始して、前記第２のシャッター部の走行が終了する前に前記電子シャッター手段によるリセット走査を開始するステップを実行させることを特徴とする制御プログラム。
【発明の詳細な説明】
【技術分野】
【０００１】
本発明は、撮像装置、その制御方法、および制御プログラムに関し、特に、メカニカルシャッターおよび電子シャッターを併用して撮像を行う撮像装置に関する。
【背景技術】
【０００２】
従来、一眼レフタイプのデジタルカメラなどの撮像装置には、メカニカルシャッターおよび電子シャッターを併用して撮像を行うものが知られている。そして、近年、ファインダに関連する機構を搭載しない所謂ミラーレスタイプのデジタルカメラの登場によって、一眼レフタイプのデジタルカメラも小型化される傾向にある。
【０００３】
これらのデジタルカメラでは、メカニカルシャッターが後幕として用いられ、後幕の走行に先行して、撮像素子における電荷蓄積開始操作を行う電子シャッターを駆動して撮像が行われる。
【０００４】
さらに、電子シャッターを用いて撮像を行う場合に、例えば、撮像素子としてＣＭＯＳセンサを用いると、画素毎又は複数の画素を有する画素領域毎（例えば、ライン毎）に、先ず画素における蓄積電荷量をゼロとするリセット走査が行われる。その後、リセット走査が行われた画素毎又は画素領域毎に所定の時間が経過すると、信号読み出し走査を行って電子シャッターによる撮像が完了する。以下、上述のような撮像動作を電子先幕走査と呼ぶ。
【０００５】
電子シャッターおよびメカニカルシャッターを併用して、撮像素子の露光を制御する際、先ずメカニカルシャッターの走行方向に画素毎又は画素領域毎に画素のリセット（画素の蓄積電荷量をゼロにする走査）を行った後、電荷蓄積を開始する。
【０００６】
電荷蓄積開始の後、所定の時間が経過すると、メカニカルシャッターによる後幕走行によって撮像素子を順次遮光して各画素に蓄積された電荷を順次読み出す読み出し走査が行われる。従って、上述の電子先幕走査は、メカニカルシャッターの後幕の走行特性に合わせる必要がある。以下、電子先幕走査およびメカニカルシャッターによる後幕走行の併用を電子先幕シャッターと呼ぶ。
【０００７】
電子先幕シャッターによる撮影において、例えば、先幕および後幕のメカニカルシャッターを有するカメラにおいては、露光の妨げとならないように電子先幕走査の前に先幕を走行させてアパチャーを開放させた状態で電子先幕による撮影（電子先幕撮影）を開始するようにしている（特許文献１参照）。
【先行技術文献】
【特許文献】
【０００８】
【特許文献１】特開２００７−２８２１２８号公報
【発明の概要】
【発明が解決しようとする課題】
【０００９】
ところで、一般に撮像素子は所謂イメージャ―ユニットに収納され、当該イメージャ―ユニットには光学フィルタなどの光学素子が備えられている。よって、上述の特許文献１においては、電子先幕撮影の際に光学素子が露出する。このため、電子先幕撮影の際に入射する光が光学素子において複数回反射した後にメカニカルシャッターに反射して撮影によって得られる画像にゴーストが生じることがある。
【００１０】
そこで、本発明の目的は、電子先幕撮影の際に得られる画像においてゴーストの発生を抑制することのできる撮像装置、その制御方法、および制御プログラムを提供することにある。
【課題を解決するための手段】
【００１１】
上記の目的を達成するため、本発明による撮像装置は、光学像に応じた電荷を蓄積して画像信号を生成する撮像素子と、前記撮像素子の前側に配置された光学素子とを有する撮像装置であって、前記光学素子の前側に配置され、前記撮像素子を前記光学像が結像する開放状態から前記光学像を遮光する遮光状態へと遷移させるために走行可能な第１のシャッター部と、前記光学素子の前側に配置され、前記撮像素子を前記遮光状態から前記開放状態へと遷移させるために走行可能な第２のシャッター部と、前記第１のシャッター部の走行方向と同一の方向に向かって前記撮像素子に蓄積された電荷をリセットするリセット走査を行う電子シャッター手段と、前記電子シャッター手段および前記第２のシャッター部を制御して、前記電子シャッター手段によるリセット走査を、前記第２のシャッター部の走行が終了する前に開始する第１の撮影モードを行う制御手段と、を有することを特徴とする。
【発明の効果】
【００１２】
本発明によれば、電子先幕撮影の際に得られる画像においてゴーストの発生を抑制することができる。
【図面の簡単な説明】
【００１３】
【図１】本発明の実施の形態による撮像装置の一例についてその構成を示すブロック図である。
【図２】図１に示すカメラにおいて交換レンズ側から光軸に沿ってメカニカルシャッターの開口部を観察した様子を示す図である。
【図３】図１に示すカメラにおける電子先幕撮影を説明するための図である。
【図４】図１に示すカメラで行われる電子先幕撮影モードの一例を説明するためのフローチャートである。
【図５】図１に示すカメラで行われる電子先幕撮影モードにおける動作を説明するためのタイムチャートである。
【図６】図４に示すゴースト発生の懸念を判定する処理を説明するためのフローチャートである。
【図７】図１に示すカメラにおいて電子先幕撮影における各部の位置関係を説明するための図である。
【発明を実施するための形態】
【００１４】
以下に、本発明の実施の形態による撮像装置の一例について図面を参照して説明する。
【００１５】
図１は、本発明の実施の形態による撮像装置の一例についてその構成を示すブロック図である。
【００１６】
図示の撮像装置は、例えば、一眼レフタイプのデジタルカメラ（以下単にカメラと呼ぶ）であり、カメラ本体１００と当該カメラ本体１００に装着される交換レンズユニット（以下単に交換レンズと呼ぶ）２０１とを備えている。
【００１７】
交換レンズ２０１は撮影レンズ２０１ａを有しており、撮影レンズ２０１ａは、光軸Ｌに沿って移動可能であって、後述する撮像素子１０４に被写体像（光学像）を結像させる。図示の例では、撮影レンズ２０１ａとして１つのレンズのみが示されているが、撮影レンズ２０１ａは、例えば、複数のレンズで構成される。
【００１８】
レンズＣＰＵ２０１ｂは、レンズ駆動回路２０１ｃを制御して撮影レンズ２０１ａを駆動する。さらに、レンズＣＰＵ２０１ｂは、交換レンズ２０１に備えられた通信接点２０１ｄおよびカメラ本体１００に備えられた通信接点１１０を介して、カメラ本体１００に備えられたカメラＣＰＵ１０１と通信を行う。
【００１９】
カメラ本体１００には、ミラー部材１０２が備えられており、カメラが非撮影状態（図１に示す状態）であると、撮影レンズ２０１ａを通過した光学像は撮影光路に位置するミラー部材１０２によって反射されてファインダ光学系１０３に導かれる。これによって、撮影者はファインダ光学系１０３を介して光学像を観察することができる。
【００２０】
カメラが非撮影状態から撮影状態に移行すると、ミラー部材１０２は撮影光路から退避し、これによって、撮影レンズ２０１ａを通過した光学像は撮像素子（例えば、ＣＭＯＳセンサ）１０４に向う。ミラー部材１０２と撮像素子１０４との間には、フォーカルプレンシャッター（以下メカニカルシャッターと呼ぶ）１０５が配置されている。そして、メカニカルシャッター１０５が閉状態から開状態となると、光学像は撮像素子１０４に結像する。
【００２１】
図示のメカニカルシャッター１０５は、所謂メカ先幕およびメカ後幕を有しており、これらメカ先幕およびメカ後幕の各々は複数の遮光羽根を備えている。メカ先幕４は、後述する光学素子の前側に配置され、撮像素子１０４を光学像が結像する開放状態から光学像を遮光する遮光状態へと遷移させるために走行可能である。また、メカ後幕３は光学素子の前側に配置され、撮像素子１０４を遮光状態から開放状態へと遷移させるために走行可能である。
【００２２】
シャッター幕走行検出部１１３はメカ先幕およびメカ後幕の走行特性を検出し、その検出結果をカメラＣＰＵ１０１に送る。そして、カメラＣＰＵ１０１はメカ先幕およびメカ後幕に係る走行特性を記憶する。カメラＣＰＵ１０１は、後述するようにして、シャッター駆動回路１０６を制御してメカニカルシャッター１０５を駆動する。
【００２３】
なお、メカ先幕と同様の動作をするものであれば、メカニカルシャッターによる撮影に使用するものではなく遮光のみを行う遮光幕を用いるようにしてもよい。
【００２４】
パルス発生回路１０７は水平駆動パルス（水平走査クロック）および垂直駆動パルス（垂直走査クロック）を発生する。そして、水平走査クロックは撮像素子１０４に与えられる。垂直走査クロックは、垂直駆動変調回路１０８によって所定の周波数で変調されて、撮像素子１０４に与えられる。そして、撮像素子１０４は水平走査クロックおよび垂直走査クロックに応じて駆動する。
【００２５】
パルス発生回路１０７はカメラＣＰＵ１０１によって制御され、これによって、撮像素子１０４は蓄積モード、リセットモード、および読み出しモードで動作する。蓄積モードにおいては、撮像素子１０４は受光面に入射する光量に応じて生じた電荷を蓄積する。
【００２６】
リセットモードにおいては、撮像素子１０４は蓄積された電荷を排出（リセット）する。読み出しモードにおいては、撮像素子１０４は蓄積された電荷を読み出す。なお、パルス発生回路１０７は、信号処理回路１０９にクロック信号を供給する。
【００２７】
撮像素子１０４は光学像に応じたアナログ信号を生成し、当該アナログ信号をＡ／Ｄ変換によってデジタル信号とする。信号処理回路１０９は撮像素子１０４の出力であるデジタル信号に対して所定の処理（色処理およびガンマ補正処理など）を行って画像データ（画像信号）を生成する。
【００２８】
当該画像データは映像表示回路１１４に送られて、映像表示回路１１４は画像データに応じた画像を撮影画像として表示する。さらに、画像データは画像記憶回路１１１に送られ、画像記録回路１１１は当該画像データを記録する。
【００２９】
スイッチユニット１１２には、撮影条件などを設定するための設定スイッチを備えるとともに、撮影準備動作および撮影動作を開始するための撮影スイッチを備えている。そして、カメラＣＰＵ１０１は、スイッチユニット１１２における操作に応じた処理動作を行う。
【００３０】
カメラＣＰＵ１０１は、不揮発性メモリ（例えば、ＲＯＭ）１０１ａに記録されたプログラムをシステムメモリ（例えば、ＲＡＭ）１０１ｂに展開して実行し、これによってカメラ全体の制御を行う。また、システムメモリ１０１ｂはカメラＣＰＵ１０１のワークメモリとして用いられる。
【００３１】
なお、図示のデジタルカメラにおいては、後述するように、電子先幕およびメカ後幕を用いて静止画像を得るための電子先幕撮影を行うことができる。
【００３２】
図２は、図１に示すカメラにおいて交換レンズ側から光軸に沿ってメカニカルシャッターの開口部を観察した様子を示す図である。なお、図２においては、電子先幕撮影中の状態が示されている。
【００３３】
図２において、矢印１は電子先幕の走査方向とメカ先幕およびメカ後幕の走行方向を示す。撮像面２は撮像素子１０４の撮像面（受光面）である。メカニカルシャッター１０５はメカ後幕（第２のシャッター部）３およびメカ先幕（第１のシャッター部）４を有している。そして、ここでは、メカ後幕３およびメカ先幕４が撮像面２の一部領域を遮光している状態である。
【００３４】
ライン５は撮像素子１０４においてリセット走査が行われているライン（リセットライン）である。リセット走査はリセットライン５上の画素の蓄積電荷量をゼロにするための走査であり、リセットライン５は電子先幕の先端に相当する。このリセット走査はライン毎に行われるが、リセット走査はメカ先幕４の走行方向と同一の方向に沿って行われる。
【００３５】
リセットライン５とメカ後幕３の先端との間の領域６は、撮像素子１０４において露光による電荷蓄積が行われている領域（電荷蓄積領域）である。電荷蓄積領域６は電子先幕およびメカ後幕３の走行に応じて矢印１の方向に移動する。リセットライン５を通過してから、つまり、画素がリセットされてからメカ後幕３によって開放状態から遮光状態となるまでの時間が画素の露光による電荷蓄積時間となる。
【００３６】
このように、リセットライン５が矢印１の方向に移動して各ラインの電荷蓄積が開始される関係上、電荷蓄積の開始タイミングは撮像素子１０４のライン毎に異なる。
【００３７】
図３は、図１に示すカメラにおける電子先幕撮影を説明するための図である。そして、図３（ａ）は従来の電子先幕撮影の際のゴーストの発生原理を示す図であり、図３（ｂ）は図１に示すカメラにおいて電子先幕撮影の際のゴーストの低減を示す図である。
【００３８】
まず、図３（ａ）を参照して、交換レンズ２０１において最も撮像素子１０４に近いレンズ（後玉レンズ）２０１ｅから入射した入射光１２が撮像素子１０４とメカ後幕３との間に存在する光学素子（ローパスフィルターなど）１０で反射する。つまり、撮像素子４の前側に位置する光学素子１０で入射光１２が反射する。これによって、反射光１３が後玉レンズ２０１ｅに入射する。
【００３９】
反射光１３は後玉レンズ２０１ｅの面で反射して、光学素子１０に入射する。そして、当該入射光が光学素子１０で反射して、その反射光がメカ後幕３の裏面に入射する。メカ後幕３の裏面で反射した光はゴースト光１４として撮像素子１０４の電荷蓄積領域６に入射する。この結果、ゴースト光１４がゴーストとして撮影画像に現れてしまう。
【００４０】
続いて、図３（ｂ）を参照して、前述のように、従来の電子先幕撮影においては、メカ先幕４を撮像素子１０４から退避させた状態で撮影が行われるので、光学素子１０が露出する結果、光学素子１０による反射光がゴーストとして撮影画像に現れる。
【００４１】
そこで、図１に示すカメラにおいては、光学素子１０に入射する入射光１２を遮断し、かつ電荷蓄積領域６の入射光路からは退避するタイミングでメカ先幕４を走行させる（ゴースト低減モード）。これによって、ゴースト光１４の発生を低減させる。
【００４２】
図４は、図１に示すカメラで行われる電子先幕撮影モードの一例を説明するためのフローチャートである。
【００４３】
また、図５は、図１に示すカメラで行われる電子先幕撮影モードにおける動作を説明するためのタイムチャートである。なお、図５において、ハイレベル（Ｈｉ）においてはメカ先幕４の動作、リセットライン５のリセット動作、およびメカ後幕６の動作は完了状態となり、ローレベル（Ｌｏ）はチャージ完了状態となる。
【００４４】
図４および図５を参照して、いま、スイッチユニット１１２において、電子先幕撮影モードが設定されると、カメラＣＰＵ１０１は電子先幕撮影モードを開始する。そして、カメラＣＰＵ１０１はミラー部材１０２の退避を行うとともに、メカ先幕４の走行を行って撮像素子１０４を露光させる。つまり、カメラＣＰＵ１０１はライブビューモードに移行して、信号処理回路１０９を制御して撮像素子１０４に結像した光学像に応じた画像データを映像表示回路１１４にリアルタイムに出力する（ステップＳ３０２）。
【００４５】
続いて、カメラＣＰＵ１０１はスイッチユニット１１２に備えられたレリーズ釦が半押し状態（ＳＷ１  ＯＮ）であるか否かを判定する（ステップＳ３０３）。ＳＷ１がＯＦＦであると（ステップＳ３０３において、ＮＯ）、カメラＣＰＵ１０１は待機する。一方、ＳＷ２がＯＮとなると（ステップＳ３０３において、ＹＥＳ）、カメラＣＰＵ１０１は、撮影の際に用いる撮影条件の設定を決定して（ステップＳ３０４）、撮影準備動作を行う。
【００４６】
次に、カメラＣＰＵ１０１は、ステップＳ３０４で決定した撮影条件の設定に基づいて、電子先幕撮影によって得られる撮影画像にゴースト発生の懸念が有るか否かを判定する（ステップＳ３０５）。なお、ステップＳ３０５における判定については後述する。
【００４７】
ゴースト発生の懸念があると（ステップＳ３０５において、ＹＥＳ）、カメラＣＰＵ１０１はゴースト低減モードに移行する（ステップＳ３０６）。そして、カメラＣＰＵ１０１はレリーズ釦が全押し（ＳＷ２  ＯＮ）されたか否かを判定する（ステップＳ３０７）。つまり、カメラＣＰＵ１０１は撮影指示があったか否かを判定する。ＳＷ２がＯＦＦであると（ステップＳ３０７において、ＮＯ）、カメラＣＰＵ１０１は待機する。
【００４８】
一方、ＳＷ２がＯＮとなると（ステップＳ３０７において、ＹＥＳ）、カメラＣＰＵ１０１は走行完了後に待機状態となったメカ先幕４をチャージして走行待機状態とする（ステップＳ３０８）。そして、カメラＣＰＵ１０１は走行可能状態としたメカ先幕４を走行させる（ステップＳ３０９）。
【００４９】
次に、カメラＣＰＵ１０１はメカ先幕４の走行が終了する前に電子先幕走査を開始する（ステップＳ３１０）。これによって、画像を得るための露光が開始する。なお、メカ先幕４と電子先幕走査が行われているリセットライン５との位置関係については後述する。
【００５０】
続いて、カメラＣＰＵ１０１は撮影条件に基づいて決定された露光時間となるようにメカ後幕３を走行させる（ステップＳ３１１）。そして、メカ後幕３の走行完了し、電子先幕撮影における露光が終了すると、カメラＣＰＵ１０１は撮像素子１０４に蓄積された電荷の読み出しを開始する（ステップＳ３１２）。
【００５１】
次に、カメラＣＰＵ１０１は走行完了状態となったメカ先幕４をチャージする（ステップＳ３１３）。その後、カメラＣＰＵ１０１はメカ後幕３をチャージする（ステップＳ３１４）。
【００５２】
この動作によって、撮像素子１０４に蓄積された電荷を読み出す最中に、再度露光が行われて余分な電荷の蓄積が行われることを防止しつつ、次の電子先幕撮影に備えてメカ後幕３を走行待機状態とすることができる。
【００５３】
カメラＣＰＵ１０１は撮像素子１０４に蓄積された電荷の読み出しを終了して、信号処理回路１０９による画像データの生成を行う（ステップＳ３１５）。そして、前述したように、当該画像データは映像表示回路１１４によって画像として表示されるとともに、画像記録回路１１１によって記録される。
【００５４】
続いて、カメラＣＰＵ１０１はメカ先幕４を走行させて撮像素子１０４を露光する（ステップＳ３１６）。その後、カメラＣＰＵ１０１はスイッチユニット１１２において撮影終了操作が行われたか否かを判定する（ステップＳ３１７）。撮影終了操作が行われると（ステップＳ３１７において、ＹＥＳ）、カメラＣＰＵ１０１は電子先幕撮影モードを終了する。一方、撮影終了操作が行われないと（ステップＳ３１７において、ＮＯ）、カメラＣＰＵ１０１ステップＳ３０２のライブビューモードに移行する。
【００５５】
なお、ゴースト発生の懸念がないと（ステップＳ３０５において、ＮＯ）、カメラＣＰＵ１０１は通常（既知）の電子先幕撮影に移行する（ステップＳ３１８）。
【００５６】
図６は、図４に示すゴースト発生の懸念を判定する処理を説明するためのフローチャートである。
【００５７】
ゴースト発生の懸念について判定を行う場合には、まず、カメラＣＰＵ１０１は、ステップＳ３０４で決定した撮影条件の一つであるＴＶ値（シャッター秒時）が、予め設定された秒時閾値αより小さいか否かを判定する（ステップＳ４００）。ＴＶ値≧αであると（ステップＳ４００において、ＮＯ）、カメラＣＰＵ１０１はライブビューモードにおいて露光を継続する撮像素子１０４に蓄積された電荷量を参照する。そして、カメラＣＰＵ１０１は当該電荷量に基づいて、撮像素子１０４に入射する光において最も輝度が高い光（光源）を検出する。カメラＣＰＵ１０１は当該光源のＥＶ値および画素領域における位置を示す位置情報を光源情報として取得する（ステップＳ４０１）。
【００５８】
続いて、カメラＣＰＵ１０１はＥＶ値（露出値）が、予め設定された輝度閾値βより大きいか否かを判定する（ステップＳ４０２）。ＥＶ値＞βであると（ステップＳ４０２において、ＹＥＳ）、カメラＣＰＵ１０１は、前述の位置情報で示す位置が予め設定された位置閾値γより大きいか否かを判定する（ステップＳ４０３）。
【００５９】
光源の位置＞γであると、つまり、光源の位置が閾値γよりもメカ後幕３の走行開始方向にある場合には（ステップＳ４０３において、ＹＥＳ）、カメラＣＰＵ１０１はゴースト発生懸念有りとする（ステップＳ４０４）。そして、カメラＣＰＵ１０１はステップＳ３０６の処理に進む。
【００６０】
ＴＶ値＜αであると（ステップＳ４００において、ＹＥＳ）、カメラＣＰＵ１０１はゴースト発生懸念なしとする（ステップＳ４０５）。そして、カメラＣＰＵ１０１はステップＳ３１８の処理に進む。
【００６１】
同様に、ＥＶ値≦βであると（ステップＳ４０２において、ＮＯ）、カメラＣＰＵ１０１はステップＳ４０４においてゴースト発生懸念なしとする。また、光源の位置≦γであると（ステップＳ４０３において、ＮＯ）、カメラＣＰＵ１０１はステップＳ４０４においてゴースト発生懸念なしとする。
【００６２】
図７は、図１に示すカメラにおいて電子先幕撮影における各部の位置関係を説明するための図である。
【００６３】
図７においては、メカ先幕４の端部とリセットラインとの位置関係が示されている。破線１５はメカ後幕３とリセットライン５とによって形成されるスリットに入射する正規光路のうち最もメカ先幕４の端部に近い光路を示す。なお、上記のスリットは撮影画像生成のための露光を行う領域である。
【００６４】
前述のように、電子先幕走査は、メカ先幕４の走行中に開始されるので、所望の露光を得るための光路を遮光しないようにメカ先幕４を走行させる必要がある。
【００６５】
図７に示すように、走行中のメカ先幕４の端部の光軸からの距離（メカ先幕の走行方向がマイナスとする）をｙ（ｔ）とし、リセットライン５の光軸からの距離（リセット走行の方向をマイナスとする）をｈ（ｔ）とする。また、後玉レンズ２０１ｅの射出瞳径をＤとし、後玉レンズ２０１ｅと撮像素子１０４との距離をＲとする。さらに、メカ先幕４と撮像素子１０４との距離をｘとする。
【００６６】
この場合、メカ先幕４の端部とリセットライン５との位置関係は、次の式（１）で表される。
ｙ（ｔ）＞ｈ（ｔ）（１−（ｘ／Ｒ））−（ｘＤ／２Ｒ）      （１）
【００６７】
さらに、ゴースト光１４（図３参照）の発生を低減させるため、メカ先幕４によって入射光１２の光路を遮光する必要がある。このため、メカ先幕４を、上記の式（１）を満たし、かつ入射光１２の光路を遮光するタイミングで走行させる。
【００６８】
このように、本発明の実施の形態では、光学素子１０に入射する入射光１２を遮断して、しかも電荷蓄積領域６の入射光路から退避するタイミングでメカ先幕４を走行させる。これによって、電子先幕撮影の際に得られる画像においてゴーストの発生を抑制することができる。
【００６９】
以上、本発明について実施の形態に基づいて説明したが、本発明は、これらの実施の形態に限定されるものではなく、この発明の要旨を逸脱しない範囲の様々な形態も本発明に含まれる。
【００７０】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００７１】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７２】
３  メカ後幕
４  メカ先幕
５  リセットライン
１０  光学素子
１２  入射光
１４  ゴースト光
１００  カメラ本体
１０１  カメラＣＰＵ
１０４  撮像素子
２０１ｅ  後玉レンズ
【図１】
2018186369.tif 000003
【図２】
2018186369.tif 000004
【図３】
2018186369.tif 000005
【図４】
2018186369.tif 000006
【図５】
2018186369.tif 000007
【図６】
2018186369.tif 000008
【図７】
2018186369.tif 000009